【手続補正書】
【提出日】平成15年7月25日(2003.7.25)
【手続補正１】
【補正対象書類名】明細書
【補正対象項目名】特許請求の範囲
【補正方法】変更
【補正の内容】
【特許請求の範囲】
【請求項１】
フイルム巻取り用のスプールを収納したカートリッジ本体と、前記スプールに一端を係止した規定長さの写真フイルムが予め組み込まれ、前記スプールに回転方向の一定の角度位置で連結された巻上げノブを撮影ごとに外部から回転操作することによって撮影済みの写真フイルムを前記スプールに巻き付けながらカートリッジ本体に巻き込むようにしたレンズ付きフイルムユニットにおいて、
写真フイルムの前記規定長さに対応した所定回転数だけ前記巻上げノブが回転したことを検知する回転検知手段と、この回転検知手段によって巻上げノブが前記所定回転数だけ回転したことが検知された後、巻上げノブが一定の回転位置に移動してきたことを検知して巻上げノブの回転をロックするロック手段とを設け、前記カートリッジ本体内に写真フイルムが他端まで完全に巻き込まれ、かつ前記スプールが一定の回転位置に達した時点で巻上げノブの回転操作を禁止するようにしたことを特徴とするレンズ付きフイルムユニット。
【請求項２】
前記カートリッジ本体は、スプールと一体に回転する表示板と、この表示板の回転方向に沿って設けられ、表示板を選択的に外部に露呈させることによって写真フイルムの未使用あるいは使用済みの表示を行う複数の表示開口とを有し、スプールが前記一定の回転位置で停止されることにより、カートリッジ本体は写真フイルムの使用済みを表示する状態になることを特徴とする請求項１記載のレンズ付きフイルムユニット。
【請求項３】
前記回転検知手段は、巻上げノブと同軸で一体に回転する間欠ギヤと、この間欠ギヤに間欠に噛合されて所定角度ずつ歩進されるカウンタギヤと、このカウンタギヤと同軸で一体に回転し外周面に検知用切欠が形成されたカム円板と、巻上げノブの近傍に揺動自在に設けられ、一端にカム円板の外周面に対面する検知用突起が形成されたタイミングレバーと、このタイミングレバーを付勢して検知用突起をカム円板の外周面に当接させる付勢手段とからなり、前記検知用切欠は、巻上げノブが所定回転数だけ回転された際にタイミングレバーに形成された検知用突起に対面し、付勢手段の付勢によって検知用突起と検知用切欠とが係合する際のタイミングレバーの揺動によって巻上げノブの所定回転数の回転を検知することを特徴とする請求項１又は２記載のレンズ付きフイルムユニット。
【請求項４】
前記付勢手段は、前記カートリッジ本体のフイルム出入り口の奥に組み込まれた遮光蓋の端部に連結して、フイルム出入り口を開放する開き位置と閉鎖する閉じ位置との間で遮光蓋を回動させる蓋閉じ部材と、この蓋閉じ部材を遮光蓋の閉じ位置に向けて付勢する付勢バネとからなり、該蓋閉じ部材は、遮光蓋の開き位置にある際に前記タイミングレバーに当接して検知用突起がカム円板の外周面に当接する方向に押圧し、検知用突起と検知用切欠との係合によってタイミングレバーが揺動した際に当接を解除して遮光蓋の閉じ位置に向けて回動することを特徴とする請求項３記載のレンズ付きフイルムユニット。
【請求項５】
前記蓋閉じ部材による遮光蓋の開き位置から閉じ位置に向けての回動に連動して、カートリッジ本体へのフイルムの巻き込みと遮光蓋の閉鎖とが完了したことを示唆するとともに、カートリッジ本体の取り出しを行うために工具が差し込まれる開口を形成する外部表示手段を設けたことを特徴とする請求項４記載のレンズ付きフイルムユニット。
【請求項６】
前記外部表示手段は、一端が蓋閉じ部材に当接し、他端に前記開口を塞ぐ蓋板が一体に形成され、上下方向に沿って移動自在とされた連動表示部材と、この連動表示部材を上方に向けて付勢するバネとからなり、該連動表示部材は、蓋閉じ部材が遮光蓋の開き位置にある際に、一端を蓋閉じ部材に当接させて他端の蓋板で開口を塞ぎ、蓋閉じ部材が遮光蓋の閉じ位置に向けて回動した際に、バネの付勢によって上方に移動して開口を露呈させることを特徴とする請求項５記載のレンズ付きフイルムユニット。
【請求項７】
前記ロック手段は、間欠ギヤの外周面に形成された被係止部と、タイミングレバーに一体に形成されて間欠ギヤの外周面に対面する係止部とからなり、この係止部はタイミングレバーの揺動によって一歯ギヤの外周面に当接し、巻上げノブが一定の回転位置に移動してきた際に被係止部に係合することを特徴とする請求項３ないし６いずれか記載のレンズ付きフイルムユニット。
【請求項８】
前記ロック手段は、巻上げノブの下面に外周に沿って一体に形成されたカム突条と、このカム突条の内壁面に形成された被係止部と、タイミングレバーに一体に形成されてカム突条の内壁面に対面する係止部とからなり、この係止部は、タイミングレバーの揺動によってカム突条の内壁面に当接し、巻上げノブが一定の回転位置に移動してきた際に被係止部に係合することを特徴とする請求項３ないし６いずれか記載のレンズ付きフイルムユニット。
【請求項９】
前記ロック手段は、巻上げノブの下面に外周に沿って一体に形成されたカム突条と、このカム突条の内壁面に形成された被係止部と、蓋閉じ部材に一体に形成され、この蓋閉じ部材が遮光蓋の閉じ位置に回動した際にカム突条の内壁面に当接する係止部とからなり、この係止部は、巻上げノブが一定の回転位置に移動してきた際に被係止部に係合することを特徴とする請求項４ないし６いずれか記載のレンズ付きフイルムユニット。
【請求項１０】
前記ロック手段は、一歯ギヤの外周面に形成された被係止部と、一歯ギヤの近傍に回動自在に設けられたロック部材と、蓋閉じ部材に一体に形成され、この蓋閉じ部材が遮光蓋の閉じ位置に回動された際にロック部材を押圧して回動させる押圧突起とからなり、該ロック部材は押圧突起に押圧されて回動し、巻上げノブが一定の回転位置に移動してきた際に被係止部に係合することを特徴とする請求項４ないし６いずれか記載のレンズ付きフイルムユニット。
【請求項１１】
フイルム巻取り用のスプールを収納したカートリッジ本体と、前記スプールに一端を係止した規定長さの写真フイルムが予め組み込まれ、前記スプールの端部に連結された巻上げノブを撮影ごとに外部から回転操作することによって撮影済みの写真フイルムを前記スプールに巻き付けながらカートリッジ本体に巻き込むようにしたレンズ付きフイルムユニットにおいて、
前記巻上げノブと同軸で一体に回転する間欠ギヤと、この間欠ギヤに間欠に噛合されて所定角度ずつ歩進されるカウンタギヤと、このカウンタギヤと同軸で一体に回転し外周面に検知用切欠が形成されたカム円板と、前記カートリッジ本体のフイルム出入り口の奥に組み込まれた遮光蓋の端部に連結して、フイルム出入り口を開放する開き位置と閉鎖する閉じ位置との間で遮光蓋を回動させる蓋閉じ部材と、この蓋閉じ部材を遮光蓋の閉じ位置に向けて付勢する付勢バネと、巻上げノブの近傍に揺動自在に配置され、一端にはカム円板の外周面に対面する検知用突起が、他端には蓋閉じ部材に係合して遮光蓋を開き位置で保持する保持突起が形成されたタイミングレバーとを設け、
前記検知用切欠と検知用突起は、巻上げノブが所定回転数だけ回転された際に対面して係合し、その際のタイミングレバーの揺動によって保持突起による蓋閉じ部材の保持が解除され、付勢バネの付勢により蓋閉じ部材が遮光蓋を閉じ位置に回動させることを特徴とするレンズ付きフイルムユニット。
【請求項１２】
前記蓋閉じ部材による遮光蓋の開き位置から閉じ位置に向けての回動に連動して、カートリッジ本体へのフイルムの巻き込みと遮光蓋の閉鎖とが完了したことを示唆するとともに、カートリッジ本体の取り出しを行うために工具が差し込まれる開口を形成する外部表示手段を設けたことを特徴とする請求項１１記載のレンズ付きフイルムユニット。
【請求項１３】
前記外部表示手段は、一端が蓋閉じ部材に当接し、他端に前記開口を塞ぐ蓋板が一体に形成され、上下方向に沿って移動自在とされた連動表示部材と、この連動表示部材を上方に向けて付勢するバネとからなり、該連動表示部材は、蓋閉じ部材が遮光蓋の開き位置にある際に、一端を蓋閉じ部材に当接させて他端の蓋板で開口を塞ぎ、蓋閉じ部材が遮光蓋の閉じ位置に向けて回動した際に、バネの付勢によって上方に移動して開口を露呈させることを特徴とする請求項１２記載のレンズ付きフイルムユニット。
【手続補正２】
【補正対象書類名】明細書
【補正対象項目名】０００７
【補正方法】変更
【補正の内容】
【０００７】
【課題を解決するための手段】
上記問題点を解決するために、本発明のレンズ付きフイルムユニットは、写真フイルムの規定長さに対応した所定回転数だけ巻上げノブが回転したことを検知する回転検知手段と、この回転検知手段によって巻上げノブが前記所定回転数だけ回転したことが検知された後、巻上げノブが一定の回転位置に移動してきたことを検知して巻上げノブの回転をロックするロック手段とを設け、カートリッジ本体内に写真フイルムが他端まで完全に巻き込まれ、かつスプールが一定の回転位置に達した時点で巻上げノブの回転操作を禁止するようにしたものである。また、巻上げノブと同軸で一体に回転する間欠ギヤと、この間欠ギヤに間欠に噛合されて所定角度ずつ歩進されるカウンタギヤと、このカウンタギヤと同軸で一体に回転し外周面に検知用切欠が形成されたカム円板と、カートリッジ本体のフイルム出入り口の奥に組み込まれた遮光蓋の端部に連結して、フイルム出入り口を開放する開き位置と閉鎖する閉じ位置との間で遮光蓋を回動させる蓋閉じ部材と、この蓋閉じ部材を遮光蓋の閉じ位置に向けて付勢する付勢バネと、巻上げノブの近傍に揺動自在に配置され、一端にはカム円板の外周面に対面する検知用突起が、他端には蓋閉じ部材に係合して遮光蓋を開き位置で保持する保持突起が形成されたタイミングレバーとを設け、巻上げノブが所定回転数だけ回転された際にカートリッジ本体の遮光蓋が閉じられるようにした構成でも、本発明の目的を達成することができる。
【手続補正３】
【補正対象書類名】明細書
【補正対象項目名】００３８
【補正方法】変更
【補正の内容】
【００３８】
カウンタギヤ７９の下面には、外周面８２ａに検知用切欠８３が設けられたカム円板８２が一体に形成されている。また、上面６９の別のピンには、一歯ギヤ７３の外周面７３ａに対面する係止部であるロック用突起８５と、カム円板８２の外周面８２ａに対面する検知用突起８６とが一体に形成されたタイミングレバー８４が揺動自在に取り付けられる。このタイミングレバー８４は、捩じりバネ８７によって図中時計方向に付勢され、検知用突起８６がカム円板８２の外周面８２ａに当接する。なお、一歯ギヤ７３の噛合突起７４は下方に設けられており、ロック用突起８５は外周面７３ａの上部側に対面するようになっているので、噛合突起７４とロック用突起８５とが干渉することはない。


【手続補正４】
【補正対象書類名】明細書
【補正対象項目名】００４７
【補正方法】変更
【補正の内容】
【００４７】
図４に示す露光ユニット１６のシャッタ機構がシャッタチャージされている状態では、係止レバー３８はロックバネ３７の付勢によって巻止め位置に回動しており、ロック爪３８ｄと巻止め爪３８ａとが巻上げノブ１０と巻止めカム３９ｃとに係合してその回転をロックしている。また、係止レバー３８は、立ち下がり片３８ｂがチャージ位置にあるシャッタ駆動レバー３４の立ち上がり片３４ｂに係合して、レリーズバネ３５の付勢に抗してシャッタ駆動レバー３４をチャージ位置で保持している。


【手続補正５】
【補正対象書類名】明細書
【補正対象項目名】００５０
【補正方法】変更
【補正の内容】
【００５０】
再びシャッタ機構をシャッタチャージ状態とするために、巻上げノブ１０を図中反時計方向であるフイルム巻上げ方向に回転操作すると、巻上げノブ１０に係合されたスプール５１が回転し、１コマ分の露光済みの写真フイルム１２がカートリッジ本体１３内に巻き上げられる。


【手続補正６】
【補正対象書類名】明細書
【補正対象項目名】００５１
【補正方法】変更
【補正の内容】
【００５１】
写真フイルム１２の移動と板バネ４３の付勢とにより、スプロケット４１とカム部材３９とは反時計方向に半回転される。この半回転の間にチャージカム３９ｄはシャッタ駆動レバー３４の一端３４ａを押圧し、レリーズバネ３５の付勢に抗してチャージ位置に向けて回動させる。また、カム部材３９の二歯ギヤ３９ｂは、半回転でカウンタ板３６を一目盛り分歩進させる。


【手続補正７】
【補正対象書類名】明細書
【補正対象項目名】００５２
【補正方法】変更
【補正の内容】
【００５２】
係止レバー３８は、ロックバネ３７の付勢によって巻止め位置に向けて回動しようとするが、巻止め爪３８ａが巻止めカム３９ｃの外周面に当接するため、巻止め位置までは回動されない。カム部材３９の半回転によって巻止めカム３９ｃの溝３９ｆが巻止め爪３８ａに対面すると、ロックバネ３７の付勢によって係止レバー３８は巻止め位置に向けて回動し、巻止め爪３８ａを溝３９ｆに係合させてカム部材３９の回転をロックする。ロック爪３８ｄも巻上げノブ１０の歯列１０ａに係合するので巻上げノブ１０の回転もロックされる。


【手続補正８】
【補正対象書類名】明細書
【補正対象項目名】００６１
【補正方法】変更
【補正の内容】
【００６１】
遮光蓋５３が閉じられているフイルムカートリッジ１４は、明室内でレンズ付きフイルムユニット２から取り出すことができる。取り出されたフイルムカートリッジ１４は、ロック用突起８５がロック用切欠７５に係合している際にはスプール５１の回転がロックされているので、使用状態の表示は確実に「撮影済み」となっており、ユーザーがフイルムカートリッジ１４を取り出した場合の誤装填を防止できる。


【手続補正９】
【補正対象書類名】明細書
【補正対象項目名】００９０
【補正方法】変更
【補正の内容】
【００９０】
撮影枚数の異なる写真フイルム１２や、フイルムベースの異なる写真フイルム１２を内蔵する場合には、フイルム先端までをカートリッジ本体１３の内部に巻き込むための巻上げノブ１０の回転量が異なる。この場合には、撮影枚数に合わせてマーク７９ａと検知用切欠８３との位置が変えられたカウンタギヤ７９を用いればよく、他の部品はそのまま流用することができる。例えば、４０枚撮り用の写真フイルム１２を内蔵する場合には、巻き込み完了までの巻上げノブ１０の回転量を４５回転とすると、カウンタギヤ７９の回転量が、８／３０×２２．５×４５＝２７０度となるから、カウンタギヤ７９のスタート位置から２７０度ずれた位置にマーク７９ａと検知用切欠８３とが設けられたカウンタギヤ７９を用いればよい。